(57)【要約】【課題】エネルギー管理装置を利用するユーザに広告を配信する広告配信システム、広告配信装置、広告配信方法及び広告配信プログラムを提供する。【解決手段】広告配信システム１は、エネルギー管理装置１０及び端末２０と通信ネットワークを通じて接続可能な広告配信サーバ３０を含み、前記エネルギー管理装置１０を利用するユーザの住宅エネルギー情報及び／又は世帯属性情報を含むユーザ情報を前記広告配信サーバ３０に送信し、前記広告配信サーバ３０において、前記ユーザ情報と、広告主が指定する住宅エネルギー情報及び／又は世帯属性情報を含む広告情報とのマッチング処理を行い、マッチした広告を前記端末２０に配信する。【選択図】図４
2015022379.tif 000002
【特許請求の範囲】
【請求項１】
広告配信サーバを含む広告配信システムであって、
前記広告配信サーバは、
住宅におけるエネルギーの使用を管理するエネルギー管理装置及び広告を表示する端末と、それぞれ通信ネットワークを通じて接続可能であり、
前記エネルギー管理装置を利用するユーザの住宅エネルギー情報及び／又は世帯属性情報を含むユーザ情報を受信するユーザ情報受信手段と、
前記ユーザ情報と、広告主が指定する住宅エネルギー情報及び／又は世帯属性情報を含む広告情報とのマッチング処理を行う広告マッチング手段と、
前記マッチング処理によってマッチした広告を、前記広告主が指定する地域のユーザの端末に配信する広告配信手段と、
を備える、前記広告配信システム。
【請求項２】
広告料管理サーバをさらに含む請求項１に記載の広告配信システムであって、
前記広告料管理サーバが、ユーザの端末に配信した広告から得られた広告料を、エネルギー管理装置設置者及び／又は広告を閲覧したユーザに分配する広告料分配手段を備える広告配信システム。
【請求項３】
端末が携帯可能な端末である、請求項１又は２に記載の広告配信システム。
【請求項４】
住宅エネルギー情報が、エネルギーの消費量、エネルギーの使用状況、エネルギーの使用履歴、及び／又は在宅情報である、請求項１〜３のいずれか一項に記載の広告配信システム。
【請求項５】
世帯属性情報が、世帯主の性別、年齢、年代、住所、居住地域、家族構成、住宅の種類、住宅の間取り、及び／又は居住形態である、請求項１〜４のいずれか一項に記載の広告配信システム。
【請求項６】
住宅におけるエネルギーの使用を管理するエネルギー管理装置及び広告を表示する端末と、それぞれ通信ネットワークを通じて接続可能であり、
前記エネルギー管理装置を利用するユーザの住宅エネルギー情報及び／又は世帯属性情報を含むユーザ情報を受信するユーザ情報受信手段と、
前記ユーザ情報と、広告主が指定する住宅エネルギー情報及び／又は世帯属性情報を含む広告情報とのマッチング処理を行う広告マッチング手段と、
前記マッチング処理によってマッチした広告を、前記広告主が指定する地域のユーザの端末に配信する広告配信手段と、
前記ユーザの端末に配信した広告から得られた広告料を、エネルギー管理装置設置者及び／又は広告を閲覧したユーザに分配する広告料分配手段と、
を備える、広告配信装置。
【請求項７】
住宅におけるエネルギーの使用を管理するエネルギー管理装置及び広告を表示する端末と、それぞれ通信ネットワークを通じて接続可能な広告配信装置において、
（１）前記エネルギー管理装置を利用するユーザの住宅エネルギー情報及び／又は世帯属性情報を含むユーザ情報を受信するステップと、
（２）前記ユーザ情報と、広告主が指定する住宅エネルギー情報及び／又は世帯属性情報を含む広告情報とのマッチング処理を行うステップと、
（３）前記マッチング処理によってマッチした広告を、前記広告主が指定する地域のユーザの端末に配信するステップと、
（４）前記端末に配信した広告から得られた広告料を、エネルギー管理装置設置者及び／又は広告を閲覧したユーザに分配するステップと、
を含む、広告配信方法。
【請求項８】
請求項７に記載の広告配信方法をコンピュータに実行させる広告配信プログラム。
【発明の詳細な説明】
【技術分野】
【０００１】
本発明は、ユーザに対してターゲッティング広告を行う広告配信システム、広告配信装置、広告配信方法及び広告配信プログラムに関する。
【背景技術】
【０００２】
近年のウェブ広告においては、効率的な広告配信のために、ユーザ情報に基づいて選択的に広告を配信するターゲティング広告が広く用いられている。ターゲティング広告には、例えば、ユーザの性別、年齢及び居住地域等に基づく属性情報のほか、インターネットにおいてユーザが閲覧したページや、検索したキーワード等の行動履歴から得られる行動情報に基づいて配信する方法が一般的に知られている。
【０００３】
これまでに、ユーザの行動情報に基づく広告配信システムを改良したものとして、映像コンテンツや番組等の視聴・閲覧履歴に基づくものや、ＳＮＳ等のグループ内の他のユーザの行動に基づいて広告配信を行う方法等が開示されている（特許文献１〜３）。
【先行技術文献】
【特許文献】
【０００４】
【特許文献１】特許第４８５０７５３号公報
【特許文献２】特許第５１０６４８２号公報
【特許文献３】特許第５２０３８４７号公報
【発明の概要】
【発明が解決しようとする課題】
【０００５】
しかしながら、従来のターゲッティング広告においては、インターネット等のメディアや既存の設備によって得られる情報に基づく場合が多く、情報の差別化が難しくなりつつある。
また、従来の広告配信方法においては、インターネットや電子メール等を介するため、個人をターゲットとするか、テレビ等のマスメディアのように大衆をターゲットにするため、家族のように生活を共有するグループや、地域性を重視した広告配信は十分に行われていない。
【０００６】
近年、省エネルギーに対する関心の高まりから、住宅のエネルギー使用状況の表示や最適化を可能とする住宅エネルギー管理システム、すなわちホームエネルギーマネジメントシステム（ＨＥＭＳ）を導入する住宅が増え、ＨＥＭＳ機器等の家庭用のエネルギー管理装置が普及しつつある。
【０００７】
そこで、本発明においては、エネルギー管理装置の家庭への普及に着目し、エネルギー管理装置という従来になかったプラットフォームを利用することにより、ユーザの生活や地域サービスとより密接な関係にある広告配信システムを提供することを目的とする。
【課題を解決するための手段】
【０００８】
上記の課題及び目的に鑑み、本発明ではエネルギー管理装置を利用するユーザに対して、広告配信システム、広告配信装置、広告配信方法及び広告配信プログラムを提供する。
【０００９】
本発明における広告配信システムは、広告配信サーバを含む広告配信システムであって、前記広告配信サーバは、住宅におけるエネルギーの使用を管理するエネルギー管理装置及び広告を表示する端末と、それぞれ通信ネットワークを通じて接続可能であり、前記エネルギー管理装置を利用するユーザの住宅エネルギー情報及び／又は世帯属性情報を含むユーザ情報を受信するユーザ情報受信手段と、前記ユーザ情報と、広告主が指定する住宅エネルギー情報及び／又は世帯属性情報を含む広告情報とのマッチング処理を行う広告マッチング手段と、前記マッチング処理によってマッチした広告を、前記広告主が指定する地域のユーザの端末に配信する広告配信手段と、を備える。
【００１０】
また、本発明における広告配信システムは、広告料管理サーバをさらに含む上記広告配信システムであって、前記広告料管理サーバが、ユーザの端末に配信した広告から得られた広告料を、エネルギー管理装置設置者及び／又は広告を閲覧したユーザに分配する広告料分配手段を備える。
【００１１】
また、本発明における広告配信システムは、上記いずれかの広告配信システムにおいて、端末が携帯可能な端末である。
【００１２】
また、本発明における広告配信システムは、上記いずれかの広告配信システムにおいて、住宅エネルギー情報が、エネルギーの消費量、エネルギーの使用状況、エネルギーの使用履歴、及び／又は在宅情報である。
【００１３】
また、本発明における広告配信システムは、上記いずれかの広告配信システムにおいて、世帯属性情報が、世帯主の性別、年齢、年代、住所、居住地域、家族構成、住宅の種類、住宅の間取り、及び／又は居住形態である。
【００１４】
また、本発明における広告配信装置は、住宅におけるエネルギーの使用を管理するエネルギー管理装置及び広告を表示する端末と、それぞれ通信ネットワークを通じて接続可能であり、前記エネルギー管理装置を利用するユーザの住宅エネルギー情報及び／又は世帯属性情報を含むユーザ情報を受信するユーザ情報受信手段と、前記ユーザ情報と、広告主が指定する住宅エネルギー情報及び／又は世帯属性情報を含む広告情報とのマッチング処理を行う広告マッチング手段と、前記マッチング処理によってマッチした広告を、前記広告主が指定する地域のユーザの端末に配信する広告配信手段と、前記ユーザの端末に配信した広告から得られた広告料を、エネルギー管理装置設置者及び／又は広告を閲覧したユーザに分配する広告料分配手段と、を備える。
【００１５】
また、本発明における広告配信方法は、住宅におけるエネルギーの使用を管理するエネルギー管理装置及び広告を表示する端末と、それぞれ通信ネットワークを通じて接続可能な広告配信装置において、（１）前記エネルギー管理装置を利用するユーザの住宅エネルギー情報及び／又は世帯属性情報を含むユーザ情報を受信するステップと、（２）前記ユーザ情報と、広告主が指定する住宅エネルギー情報及び／又は世帯属性情報を含む広告情報とのマッチング処理を行うステップと、（３）前記マッチング処理によってマッチした広告を、前記広告主が指定する地域のユーザの端末に配信するステップと、（４）前記端末に配信した広告から得られた広告料を、エネルギー管理装置設置者及び／又は広告を閲覧したユーザに分配するステップと、を含む。
【００１６】
また、本発明における広告配信プログラムは、上記広告配信方法をコンピュータに実行させる。
【発明の効果】
【００１７】
本発明の広告配信システムによれば、ＨＥＭＳ機器等のエネルギー管理装置を利用する世帯の属性情報等に基づいた広告配信が可能となり、住宅単位又は家庭単位で広告を配信することができる。また、住宅に備えられたエネルギー管理装置よりユーザの住宅エネルギー情報を得ることができるため、例えば、ユーザのエネルギー使用状況や、在宅情報に基づく広告配信も可能となる。
【００１８】
さらに、広告主である地域商店等から所定の距離に、又は特定の地域に設置されたエネルギー管理装置のユーザを指定することにより、地域サービス連動型の広告を適切なユーザに配信することができる。また、広告配信をユーザのスマートフォン等の端末装置に直接配信することにより、リアルタイムで適切な時期に広告を配信することができる。
【００１９】
そのため、従来は各住宅のポストに投函していた地域性のある広告であっても、地域を特定しながら、そこに居住する家族等に適切なタイミングで広告を配信することができる。さらに、ユーザの生活と地域に密接した広告配信が可能となることから、地域商店等の顧客獲得のため、地域商店等とユーザがＯ２Ｏ（Online to Offline）で繋がる新規販路を生み出すことも可能となる。
【図面の簡単な説明】
【００２０】
【図１】本発明における広告配信システムの概要を示すブロック図である。
【図２】本発明の広告配信システムで配信される広告の一例を示す図である（リアルタイム属性広告）。
【図３】本発明の広告配信システムで配信される広告の一例を示す図である（ＡＤｍａｐ広告）。
【図４】広告料管理サーバを備える本発明の広告配信システムの概要を示すブロック図である。
【図５】本発明の広告配信システムにおける広告配信方法を示すフローチャートである。
【図６】本発明の広告配信システムによって得られた広告料の分配方法の一例である。実線は広告料の分配を、破線は広告依頼のフローを示す。
【図７】本発明の広告配信システムによって得られた広告料の分配率の一例である。
【発明を実施するための形態】
【００２１】
本発明の実施形態について、以下に図を参照しながら説明する。
図１は、本発明における広告配信システムの概要を示すブロック図である。広告配信システム１は、エネルギー管理装置１０及び端末２０と通信ネットワークを介して直接又は間接に通信可能な広告配信サーバ３０を含む。
【００２２】
エネルギー管理装置１０は、エネルギー消費機器をネットワークで接続して、エネルギーの使用を管理する装置である。エネルギー管理装置１０は、典型的にはＨＥＭＳ機器のように住宅に設置され、エネルギーの使用状況やエネルギー消費機器の稼動状況を監視することができ、エネルギー消費機器の制御及び遠隔操作も可能にする。エネルギー消費機器は、例えば、家電機器、エアコン、照明、給湯器及び防犯警報装置等である。
【００２３】
エネルギー管理装置１０は、エネルギー測定装置及びエネルギー制御装置等のエネルギー管理に必要な装置と接続可能である。また、エネルギー管理装置１０は、通信ネットワークを介して広告配信サーバ３０と直接又は間接に通信可能であり、ユーザ情報を広告配信サーバ３０に送信するための端末としても機能し得る。
【００２４】
ユーザ情報は、ユーザ情報送信部１１から広告配信サーバ３０へ送信されるが、他の装置等を介して、広告配信サーバ３０に送信されてもよい。例えば、ユーザ情報は、外部のサーバへ有線又は無線で送信された後、外部サーバから広告配信サーバ３０に送信されてもよい。かかるユーザ情報受信手段よって、ユーザ情報がユーザ情報データベース（ＤＢ）３２に蓄積され、ユーザ情報が広告配信サーバ３０において利用可能となる。
【００２５】
端末２０は、広告配信サーバ３０から配信された広告を表示する端末である。広告配信サーバ３０から配信された広告は、広告受信部２１において受信する。広告受信部２１で受信した広告は、閲覧のために広告表示部２２に表示される。広告受信部２１で広告情報を受信した場合、ユーザはプッシュ通知等によって広告配信を知ることができる。かかる広告配信手段によって、広告配信サーバ３０から端末２０へ広告が配信され、広告は端末２０において閲覧に供される。
【００２６】
端末２０は、典型的にはスマートフォンやブラウザ機能付きの携帯電話であるが、広告表示機能を有している端末や装置であればよく、例えば、デスクトップ型パーソナルコンピュータ（ＰＣ）、ノートブック型ＰＣ、タブレット端末、ネットブック、デジタルフォトフレーム、テレビ等である。好ましくは、端末２０は、スマートフォンやタブレット等の携帯可能な端末である。
また、端末２０には、アプリケーション等を搭載させることができ、例えば、住宅エネルギー情報の可視化のためのエネルギー表示用アプリケーションや、エネルギー消費機器の遠隔操作や制御等の住宅エネルギーの管理のためのアプリケーション、さらには本発明の広告配信システムを利用可能にする広告配信のためのアプリケーション等を搭載することができる。これらのプログラムは、プログラム配信サーバ等から入手することができる。
【００２７】
本発明においては、広告配信サーバ３０は、複数のユーザのエネルギー管理装置１０及び端末２０と接続可能である。また、エネルギー管理装置１０及び端末２０は、それぞれのユーザに対して複数同時に設置することができる。例えば、１台のエネルギー管理装置から、家族全員の携帯電話等の端末へ広告を配信することも可能である。
また、エネルギー管理装置にモニター等が備えられ、広告表示機能を有する場合には、エネルギー管理装置を、広告を表示する端末として機能させることもできる。
【００２８】
広告配信サーバ３０は、ユーザ情報をユーザ情報受信部３１で受信し、配信される広告の広告情報を、広告情報受信部３３で受信する。受信したユーザ情報及び広告情報は、マッチング処理部３５においてマッチング処理を受け、マッチした広告が広告配信部３６から端末２０に配信される。
【００２９】
ユーザ情報は、ユーザ情報ＤＢ３２に送信されて記憶された後、要求されるユーザ情報がマッチング処理部３５に送信される。また、ユーザ情報は、直接マッチング処理部３５に送信されてもよい。同様に、広告情報は、広告情報ＤＢ３４に送られた後にマッチング処理部３５に送信されても、直接マッチング処理部３５に送信されてもよい。
【００３０】
マッチング処理は、ユーザ情報に含まれる住宅エネルギー情報及び／又は世帯属性情報と、広告情報に含まれる住宅エネルギー情報及び／又は世帯属性情報とに、同一の情報があるか否かを判断し、同一の情報があった場合にはマッチング処理の結果として出力される。また、同一性については、完全一致である必要はなく、マッチング処理を行う項目が複数ある場合には、優先的に処理する項目を指定して、出力結果に優先順位をつけることもできる。
【００３１】
ユーザＤＢ３２は、住宅エネルギー情報及び世帯属性情報を蓄積して記憶するデータベースである。広告主が広告ターゲットの住宅エネルギー情報や世帯属性情報を指定することにより、ユーザＤＢ３２に蓄積された情報から、広告を配信すべきターゲットを迅速に抽出することができ、広告配信を望む時にリアルタイムで配信することができる。一方で、広告主は、特定の時間帯を指定して配信することもできる。
かかる広告マッチング手段により、広告配信サーバ３０から端末２０へ配信されるべき広告が効率的に選別され、エネルギー管理装置を利用するユーザに、広告を効果的に配信することが可能となる。
【００３２】
「ユーザ情報」とは、エネルギー管理装置を利用するユーザの情報又はデータであり、ユーザの住宅エネルギー情報及び世帯属性情報が含まれる。また、これらの情報の他に、インターネットの検索履歴等のユーザの行動情報が含まれてもよい。
【００３３】
「住宅エネルギー情報」とは、ユーザのエネルギーの使用に関連する情報を指し、エネルギー管理装置を利用することによって得られるすべての情報及びデータを含む。かかる情報及びデータには、電気、水道及びガス等のエネルギーの使用状況及び使用履歴等のエネルギー使用情報や、エネルギー消費機器の稼働状況を含み、単にエネルギーの消費量のみならず、エネルギーを使用した日時、場所及び使用機器の情報等も含まれる。
【００３４】
住宅エネルギー情報の例として、ＨＥＭＳ機器が設置された家庭の節電状況や節水状況、各家庭の毎月のエアコンの使用状況、及び電気等のエネルギー使用量から判断される在宅情報等が挙げられる。
得られるエネルギー情報によって、ユーザの省エネルギーの意識に応じた商品又はサービスに関する広告の配信が可能となり、リアルタイムでの使用量を情報化することにより、適切なタイミングで広告を配信することも可能となる。
【００３５】
「世帯属性情報」とは、ユーザが属する世帯の属性を示す情報を指し、世帯主及び／又はその家族の年齢、年代、性別、年収、学歴、趣味等の情報及びデータが含まれる。また、世帯属性情報には、世帯の家族構成、一戸建てやマンション等の住宅の種類、住宅の間取り（住宅の構成）、さらには持ち家、賃貸、社宅等の居住形態の他に、住所や居住地域等の情報及びデータも含まれる。
【００３６】
世帯属性情報は、エネルギー管理装置以外にも他の装置やデータベースに記憶されてもよい。世帯属性情報が他の装置やデータベースに記憶されている場合には、世帯属性情報は、世帯属性情報が記憶されている装置や外部サーバ等から広告配信サーバ３０に送信される。また、世帯属性情報は、ユーザＩＤ等の識別情報に変換して管理されてもよい。
【００３７】
「世帯」とは、家族等の住居及び生計を共にする者の集団であるが、エネルギー管理装置を共有する者であればよく、居住形態は限定されない。したがって、本発明における世帯には、集合住宅でエネルギー管理装置を共有する複数世帯や、ルームシェアをする者も含まれる。
【００３８】
「行動情報」とは、インターネット等の閲覧履歴や検索履歴、番組等の視聴履歴等のユーザの行動履歴に関する情報をいう。本発明においては、上記住宅エネルギー情報及び世帯属性情報に加えて、ＰＣやテレビ等の他の機器とも連動させることにより、ユーザの行動情報を使用することもできる。
【００３９】
「ユーザ」とは、エネルギー管理装置を利用する者を指し、典型的にはＨＥＭＳ機器等のエネルギー管理装置を設置した住宅の世帯主又は居住者すべてがユーザとなる。
また、「広告主」（広告依頼者）は、ユーザに対して広告の配信を依頼する者であり、好ましくはユーザの居住地域において業務を行っている地域商店等である。
【００４０】
図２は、本発明の広告配信システムで配信される広告（リアルタイム属性広告）の一例を示す図である。かかる実施形態においては、広告のターゲットを住所や店舗からの距離で特定するだけではなく、世帯主の性別、年代、家族構成及び間取りを組み合わせて指定することにより、広告を配信するユーザを絞り込む。そして広告を配信したい時に、リアルタイムでユーザの端末へ広告を配信する。
【００４１】
年齢及び年代としては、例えば、１０代、２０代、３０代等と設定する他に、２０歳以下、２０歳〜３０歳、３０歳〜４０歳等のように適宜範囲を設定し、他の属性情報と組み合わせて使用することができる。
家族構成としては、例えば、未就学児、幼稚園・保育園、小学生、中学生、高校生、専門学校生及び／又は大学生等と設定することができる。
【００４２】
間取りとしては、例えば、１Ｋ、１ＤＫ、１ＬＤＫ、２Ｋ・２ＤＫ、２ＬＤＫ、３Ｋ、３ＤＫ・３ＬＤＫ及び／又は４ＬＤＫ以上と設定することができる。
居住地域としては、市区町村や都道府県といった地域単位の他に、広告配信をする際に特定の地点からの距離とすることができる。例えば、広告主の店舗等の特定の地点から、半径１ｋｍ以内、１ｋｍ〜３ｋｍ、３ｋｍ〜５ｋｍ及び／又は５ｋｍ以上としてもよい。
【００４３】
リアルタイムによる広告配信の例として、住宅街にある子供服店が、徒歩圏内に住むファミリー世帯に対して広告配信をする際に、店舗住所より半径１ｋｍ以内の住所であり、１ＬＤＫ以上の間取りを有する住居に住み、未就学児から中学生以下の子供がいる家庭を広告配信のターゲットに指定することができる。
また、不動産会社が広告主である場合には、例えば、特定の町や市等の地域や、特定の地点から半径１ｋｍ以内に住所を有し、２ＬＤＫ又は３ＬＤＫの間取りを有する住居に住み、未就学児がいる家庭を広告配信のターゲットに指定することができる。
【００４４】
さらに、スーパー等の食料品店が広告主となる場合には、例えば、広告主の店舗住所より半径２ｋｍ以内の住所であり、２ＬＤＫ、３ＬＤＫ又は４ＬＤＫの間取りを有する住居に住み、あらゆる家族構成を有する家庭を広告配信のターゲットに指定することができる。
このようにして、本発明の広告配信システムにおいては、広告主は、ユーザの世帯属性情報等を目的に応じて組み合わせることにより、広告のターゲットを効率的に絞り込み、ターゲットとなるユーザに広告を迅速に配信する。
【００４５】
図３は、本発明の広告配信システムで配信される広告（ＡＤｍａｐ広告）の一例を示す図である。かかる実施態様においては、広告配信システムのアプリケーションに地図表示機能を持たせ、端末のＧＰＳ機能によってユーザを端末の地図上に表示する。地図にはユーザの位置が表示されるとともに、ユーザが登録した店舗が表示される。登録店舗が、本発明の広告配信システムを用いて広告を配信すると、その広告が地図上に表示されるため、ユーザはリアルタイムで広告を見ることができ、広告を配信する店舗へ簡単に移動することができる。
【００４６】
本発明の広告配信システムにおいては、住宅エネルギー情報に基づいた広告配信も可能であり、利用できる住宅エネルギー情報の例としては、電気の使用量及び使用状況が挙げられる。例えば、夏の暑い日にエアコンによる電力消費量が多い場合には、リゾート施設の広告や、省エネルギー型のエアコンの広告、さらには飲料等の広告を配信する。また、電気の使用量から在宅中のユーザを判別することができ、適切なタイミングで広告を配信することが可能となる。
【００４７】
また、本発明の広告配信システムにおいては、住宅エネルギー情報はビッグデータとして活用することができ、統計学的処理によって、電気等のエネルギー消費量から得られるユーザの行動情報として、配信すべき広告の決定に利用することができる。
【００４８】
本発明の一側面において、広告配信システムは、広告料分配手段を備える。図４は、広告料管理サーバ４０を備える本発明の広告配信システムの概要を示すブロック図である。
広告料管理サーバ４０は、端末に配信された広告から得られた収入を分配するための広告料分配手段を備える。また、広告配信サーバ３０と広告料管理サーバ４０は、それぞれ広告配信手段及び広告料分配手段を備えていればよいため、図５にも示されるように、それらの手段又は機能を有するサーバや装置等とすることもできる。
【００４９】
端末に広告が表示されたこと、及び／又は広告がユーザによって閲覧されたことの情報（以下「広告閲覧情報」という。）が、広告閲覧情報送信部２３から広告料管理サーバ４０の広告閲覧情報受信部４１へ送信される。受信した広告閲覧情報は、広告料分配部４３に送信され、広告料分配処理に用いられる。
【００５０】
広告閲覧情報には、広告が表示されたことを示す情報や、クリック等によってユーザが閲覧したことを示す情報が含まれる。また、広告閲覧情報は、広告閲覧情報ＤＢ４２に送られた後に、広告料分配部４３に送信されるが、直接広告料分配部４３に送信されてもよい。
【００５１】
広告閲覧の方法としては、プッシュ通知、アプリケーション内広告及びリワード広告等を使用することができる。プッシュ通知では、広告配信があった場合に自動的に情報を取得してユーザに通知するため、リアルタイムで広告を配信することができ、高い確率でユーザに視認させることができる。一方で、アプリケーション内広告では、端末内で動作するアプリケーションの中に広告を表示する。また、リワード広告等の成功報酬型の広告では、クリック先のサイトにおいてアプリケーションをダウンロードした場合や、商品を購入した場合等に、ユーザにポイント等が付加される。
【００５２】
ユーザが広告を閲覧したことは、通常はユーザがクリックをすることによって確認されるが、プッシュ通知等を利用して強制的に広告を表示する場合には、広告表示をもってユーザが閲覧したものとすることができる。
【００５３】
図５は、本発明の広告配信システムにおいて、マッチング処理及び広告料分配処理を行う広告配信方法を表すフローチャートである。
【００５４】
ステップＳ１０においては、エネルギー管理装置によって得られたユーザ情報を、ユーザ情報送信部１１から、広告配信装置（広告配信サーバ３０）へ送信する。ユーザ情報は、外部のサーバへ有線又は無線で送信された後、外部サーバから広告配信サーバ３０に送信されてもよい。
ステップＳ１１においては、送信されたユーザ情報をユーザ情報受信部３１で受信する。また、受信したユーザ情報をユーザ情報ＤＢ３２に送信して記憶させる。ユーザ情報は、要求に応じてマッチング処理部３５へ送信される。
【００５５】
ステップＳ１２においては、ユーザ情報と、広告情報受信部３３で受信した広告情報、又は広告情報ＤＢ３４に記憶された広告情報とのマッチング処理を行う。マッチング処理は、ユーザ情報に含まれる住宅エネルギー情報及び／又は世帯属性情報と、広告情報に含まれる住宅エネルギー情報及び／又は世帯属性情報とに、同一の情報があるか否かを判断し、同一の情報があった場合にはマッチング処理の結果として出力される。
ステップＳ１３においては、マッチした広告を広告配信部３６から端末２０へ送信し、ステップＳ１４においては、広告配信部３６から送信された広告を広告受信部２１で受信する。
【００５６】
ステップＳ１５においては、受信した広告を広告表示部２２に表示して広告閲覧に供し、ステップＳ１６においては、表示された広告をユーザが閲覧する。また、ユーザが広告を閲覧した際に、ユーザのクリック等によって広告閲覧情報を取得する。
ステップＳ１７においては、取得した広告閲覧情報を、広告閲覧情報送信部２３から広告配信装置（広告料管理サーバ４０）へ送信する。
【００５７】
ステップＳ１８においては、送信された広告閲覧情報を、広告閲覧情報受信部４１で受信し、ステップＳ１９においては、ユーザが広告を閲覧したことを確認し、広告料分配処理を行う。
【００５８】
図６は、本発明の広告料システムによって得られた広告料の分配方法の一例である。広告主５１は、配信したい広告について、広告のターゲットとなるユーザの住宅エネルギー情報及び／又は世帯属性情報を設定し、広告仲介者５２に依頼をするか、広告管理会社５３へ直接依頼をする。
広告管理会社５３は、図６に示されるように、広告配信によって得られた広告料を分配する。
【００５９】
図６に示す実施態様においては、広告料は、エネルギー管理装置設置者、広告依頼仲介者、広告を閲覧したユーザ及び広告管理会社へそれぞれ分配される。エネルギー管理装置設置者は、典型的にはＨＥＭＳ機器等のエネルギー管理装置の小売又は卸売の業者であり、電気やガス等のエネルギー供給業者が含まれる。また、広告管理会社は、広告配信サーバを用いて広告配信を行ってもよい。
【００６０】
広告料分配手段により、電気やガス等のエネルギー供給業者は、遠隔検針等のためにエネルギー管理装置を利用するだけではなく、同時にエネルギー管理装置のネットワークを利用して広告収入を得ることもできる。特に、太陽光発電事業者等の売り切り型の製品を販売する業者にとっては、メンテナンス料だけではなく、広告からも継続的な収入を得ることが可能となり、新たな継続課金型のビジネスモデルを提供することができる。
【００６１】
一方で、広告を閲覧したユーザに対して、閲覧の対象となった広告から得られる広告料の一部を共通ポイント等によって還元することにより、広告を閲覧する機会を増やすことが可能となる。また、エネルギー管理装置によって、エネルギー情報を可視化して節電等を実施するメリットと組み合わせることにより、ユーザが広告を閲覧する確率をより高めることができ、効率的な広告配信が可能となる。
【００６２】
広告料を分配する対象及び広告料の分配率は、任意に設定することができ、例えば、図７に示されるように設定することができる。広告料は、ポイントとして計算して分配されてもよく、かかる場合には各種店舗等で利用できる共通ポイントとすることができる。ポイントの値の計算及び分配方法は適宜設定することができる。
例えば、図７の例において、広告料として１０，０００円が得られた場合には、ユーザにはポイントとして１，５００ポイントが分配される。ポイントは、広告を閲覧した各ユーザに分配されるため、閲覧したユーザ数で割ったポイントが各ユーザに分配される。
【００６３】
また、住宅エネルギー情報と関連して、節電や節水等の省エネルギーの実施によって得られるポイントを共通ポイントとして使用することもできる。
省エネルギー実施によって得られるポイントの計算方法は適宜設定することができ、例えば、太陽光パネルによる売電収入のポイント還元であれば、太陽光パネルを設置しているユーザの売電金額（太陽光パネルの発電量分から自宅の電力消費量分を差し引いた額）の０．０１％をポイントとしてユーザに毎月還元する。
【００６４】
また、本発明においては、広告配信システムは、端末等において広告を表示するだけではなく、住宅エネルギー情報も表示することができる。住宅エネルギー情報は、アプリケーション等によって表示され、エネルギー使用状況や省エネルギー情報を端末等に表示することもできる。
【００６５】
本発明の一側面においては、広告配信装置に関する。本発明の広告配信装置は、住宅におけるエネルギーの使用を管理するエネルギー管理装置及び広告を表示する端末と、それぞれ通信ネットワークを通じて接続可能であり、前記エネルギー管理装置を利用するユーザの住宅エネルギー情報及び／又は世帯属性情報を含むユーザ情報を受信するユーザ情報受信手段と、前記ユーザ情報と、広告主が指定する住宅エネルギー情報及び／又は世帯属性情報を含む広告情報とのマッチング処理を行う広告マッチング手段と、前記マッチング処理によってマッチした広告を、前記広告主が指定する地域のユーザの端末に配信する広告配信手段と、を備える。
また、本発明の広告配信装置は、前記ユーザの端末に配信した広告から得られた広告料を、エネルギー管理装置設置者及び／又は広告を閲覧したユーザに分配する広告料分配手段をさらに備えると好適である。
【００６６】
また、本発明の一側面においては、広告配信方法に関する。本発明の広告配信方法は、住宅におけるエネルギーの使用を管理するエネルギー管理装置及び広告を表示する端末と、それぞれ通信ネットワークを通じて接続可能な広告配信装置において、（１）前記エネルギー管理装置を利用するユーザの住宅エネルギー情報及び／又は世帯属性情報を含むユーザ情報を受信するステップと、（２）前記ユーザ情報と、広告主が指定する住宅エネルギー情報及び／又は世帯属性情報を含む広告情報とのマッチング処理を行うステップと、（３）前記マッチング処理によってマッチした広告を、前記広告主が指定する地域のユーザの端末に配信するステップと、を含む。
また、本発明の広告配信方法は、（４）端末に配信した広告から得られた広告料を、エネルギー管理装置設置者及び／又は広告を閲覧したユーザに分配するステップをさらに含むと好適である。
【００６７】
また、本発明の一側面においては、広告配信プログラムに関する。本発明の広告配信プログラムは、本発明の広告配信方法をコンピュータに実行させるプログラムである。本発明の広告配信プログラムは、記録媒体を通じて、又は通信ネットワークなどを介してダウンロードすることにより、コンピュータにインストール等することができる
【００６８】
以上、本発明の実施形態について説明したが、本発明は上記実施形態に限定されるものではなく、本発明の要旨を逸脱しない範囲において、多様な実施形態とすることができる。
【産業上の利用可能性】
【００６９】
本発明は、エネルギー管理装置を利用するユーザに対して、ユーザの生活や地域サービスとより密接な関係にある広告配信を提供する。
【符号の説明】
【００７０】
１  広告配信システム
１０  エネルギー管理装置
１１  ユーザ情報送信部
２０  端末
２１  広告受信部
２２  広告表示部
２３  広告閲覧情報送信部
３０  広告配信サーバ
３１  ユーザ情報受信部
３２  ユーザ情報ＤＢ
３３  広告情報受信部
３４  広告情報ＤＢ
３５  マッチング処理部
３６  広告配信部
４０  広告料管理サーバ
４１  広告閲覧情報受信部
４２  広告閲覧情報ＤＢ
４３  広告料分配部
５１  広告主
５２  広告依頼仲介者
５３  広告管理会社
５４  ユーザ
５５  エネルギー管理装置設置者
【図１】
2015022379.tif 000003
【図２】
2015022379.tif 000004
【図３】
2015022379.tif 000005
【図４】
2015022379.tif 000006
【図５】
2015022379.tif 000007
【図６】
2015022379.tif 000008
【図７】
2015022379.tif 000009